(57)【要約】      （修正有）【課題】安価で、陳列時の見栄えがよく、しかも取り付け作業が簡単で、かつ、陳列スペースを抑制できる店頭販売促進用陳列ツールを提供する。【解決手段】商品に係止可能な第１係止部６と、商品１の付属部品を係止可能な第２係止部６とを有する店頭販売促進用陳列ツール５により構成する。また、店頭販売促進用陳列ツール５の最大幅は、商品本体の幅と略同等または商品本体の幅より小さい寸法とされる。さらに、店頭販売促進用陳列ツール５は、一部または全部が透明または半透明材料のシートからなる。また、シートの面には、使用方法および／又は宣伝広告を記載または貼付する。【選択図】図１
0003110061.tif 000002
【実用新案登録請求の範囲】
【請求項１】
商品に係止可能な第１係止部と、前記商品の付属部品を係止可能な第２係止部とを有することを特徴とする店頭販売促進用陳列ツール。
【請求項２】
前記第１係止部および／又は第２係止部が環状体からなることを特徴とする請求項１記載の店頭販売促進用陳列ツール。
【請求項３】
前記第２係止部に付属部品を係止した際に前記付属部品が宙吊り状態になることを特徴とする請求項１または２記載の店頭販売促進用陳列ツール。
【請求項４】
最大幅が商品本体の幅と略同等または商品本体の幅より小さいことを特徴とする請求項１〜３のいずれか１項に記載の店頭販売促進用陳列ツール。
【請求項５】
一部または全部が透明または半透明材料のシートからなることを特徴とする請求項１〜４のいずれか１項に記載の店頭販売促進用陳列ツール。
【請求項６】
前記シートの面に使用方法および／又は宣伝広告を記載または貼付したことを特徴とする請求項５記載の店頭販売促進用陳列ツール。
【考案の詳細な説明】
【技術分野】
【０００１】
本考案は、店舗内の棚上に陳列して販売される商品の店頭販売促進用陳列ツールに関する。
【背景技術】
【０００２】
近年、家庭用日用品の販売はホームセンター等の店舗内の棚上に陳列して販売される場合が多くなってきた。このような販売方法においては、店舗のスペースを有効活用するため、限られた棚上にできるだけ多くの商品を陳列することが求められる。
【０００３】
ところで、商品には各種のものがあり、販売促進用としてキャラクター等の小物を販売促進の対象たる商品に添付することがある。例えば、ペットボトル入り緑茶の販売促進を行なうために、数センチメートルの大きさの人形を添付することが行なわれている。このような場合、従来はブリスターパックや透明ボックス等の個装箱に販促品を入れて商品に添付していた。また、縁日の金魚すくい等において、すくい上げた金魚の持ち帰り用として用いられているポリ袋と同様にして、透明ポリ袋に販促品を入れて商品に添付している場合もある。
【０００４】
また、商品によっては、商品の使用場面を異にする場合において、商品を最適状態で使用できるよう商品本体とは別に、付属部品を添付して販売を行なう必要が生じることがある。例えば、携帯用保温容器は、使用場面によって異なる蓋があると好都合である。図４は標準的な携帯用保温容器１を示しており、真空断熱容器２とコップを兼用する蓋３とから構成されている。この標準的な携帯用保温容器１において、真空断熱容器２内に充填したお茶を飲もうと欲すれば、コップの機能を兼用する蓋３を容器本体２から取外してお茶を飲むことができ、標準品の蓋３があれば充分である。一方、ランニング等の運動中において片手だけで水分を補給したい場合などにおいては、コップの機能を兼用する標準品の蓋３では、真空断熱容器２内の水を上手に飲むことができない。標準品の蓋３では両手を使用しないと、うまく水分を補給することができないからである。そこで、従来から、図５に示すような片手だけでも、うまく水を飲用できるような付属部品としての蓋４がオプション的に販売されている。したがって、片手だけを使用して真空断熱容器２内に充填された飲料を飲むことができる機能を欲する者は、携帯用保温容器１とは別に付属部品としての蓋４を購入する必要がある。
【０００５】
しかし、この蓋４は付属部品であり、オプション的に販売されるものであることから、携帯用保温容器１とは別に陳列されていた。しかし、このような陳列方法では、購買者にとって使用方法が異なる場合に必要となる付属部品としての蓋４であることのアピール力が不十分であった。購買者にとって使用に便利な付属部品であることを訴えるためには、商品陳列時においても付属部品４が商品１に添付されていることが重要である。そこで、従来は上記したようなブリスターパックや透明ボックス等の個装箱、あるいはポリ袋を用いて付属部品である蓋４を商品１に添付していた。
【考案の開示】
【考案が解決しようとする課題】
【０００６】
しかし、上記したブリスターパックや透明ボックス等の個装箱を用いて付属部品である蓋を商品に添付して陳列する方法では、個装箱の単価が高く、低価格商品に適用するのは困難であった。また、付属部品である蓋が個装箱に入っていたのでは、購買者が陳列された商品に付属部品である蓋を取り付けてみることに抵抗を感じることもあった。さらに、透明ポリ袋に付属部品である蓋を入れて商品に添付する方法では、ポリ袋が安価であるという利点はあるものの、陳列時の見栄えがよくない。また、購買者が付属部品である蓋を試行的に付け替えてみたいときに、ポリ袋から蓋を出し入れしなくてはならない煩雑さがあった。
【０００７】
本考案は、上記した商品陳列方法の問題点を解決すべくなされたものであり、安価で、陳列時の見栄えがよく、しかも添付作業が簡単で、かつ、陳列スペースを抑制できる店頭販売促進用陳列ツールを提供することを目的とする。
【課題を解決するための手段】
【０００８】
請求項１記載の考案は、商品に係止可能な第１係止部と、前記商品の付属部品を係止可能な第２係止部とを有することを特徴とする店頭販売促進用陳列ツールである。
【０００９】
請求項２記載の考案は、請求項１記載の店頭販売促進用陳列ツールにおいて、前記第１係止部および／又は第２係止部が環状体からなることを特徴とするものである。
【００１０】
請求項３記載の考案は、請求項１または２記載の店頭販売促進用陳列ツールにおいて、前記第２係止部に付属部品を係止した際に前記付属部品が宙吊り状態になることを特徴とするものである。
【００１１】
請求項４記載の考案は、請求項１〜３のいずれか１項に記載の店頭販売促進用陳列ツールにおいて、最大幅が商品本体の幅と略同等または商品本体の幅より小さいことを特徴とするものである。
【００１２】
請求項５記載の考案は、請求項１〜４のいずれか１項に記載の店頭販売促進用陳列ツールにおいて、一部または全部が透明または半透明材料のシートからなることを特徴とするものである。
【００１３】
請求項６記載の考案は、請求項５記載の店頭販売促進用陳列ツールにおいて、前記シートの面に使用方法および／又は宣伝広告を記載または貼付したことを特徴とするものである。
【考案の効果】
【００１４】
本考案における請求項１の店頭販売促進用陳列ツールによれば、商品を店頭で裸陳列する際に、異なる使用方法に用いる付属部品を商品本体に添付した状態で陳列することができる。また、安価であるとともに、商品および付属部品を店頭販売促進用陳列ツールに係止するだけで添付できるので、添付作業が簡単で短時間に行なうことができる。
【００１５】
本考案における請求項２の店頭販売促進用陳列ツールによれば、第１係止部および／又は第２係止部が環状体からなるので、商品本体および付属部品の添付を確実に行なうことができる。
【００１６】
本考案における請求項３の店頭販売促進用陳列ツールによれば、第２係止部に付属部品を係止した際に前記付属部品が宙吊り状態になるので、陳列棚を占有する面積が少なくて済む。
【００１７】
本考案における請求項４の店頭販売促進用陳列ツールによれば、最大幅が商品本体の幅と略同等または商品本体の幅より小さいので、陳列棚上を占有する空間が少なくて済む。
【００１８】
本考案における請求項５の店頭販売促進用陳列ツールによれば、シートが透明または半透明の材料からなるので、陳列する商品本体を隠してしまうことがない。したがって、購買者に対する商品の陳列効果を損なうことがない。
【００１９】
本考案における請求項６の店頭販売促進用陳列ツールによれば、シートの面に使用方法が記載または貼付されているので、店員でない一般購買者であっても簡単に商品に付いている標準部品に替えて付属部品を試行的に取付けることができる。したがって、購買者に付属部品の機能を充分理解させることができ、購買者の商品購買意欲を喚起することができる。
【考案を実施するための最良の形態】
【００２０】
以下、本考案の実施の形態について図面を用いて説明する。図１に本考案の第１実施例を示す。この店頭販売促進用陳列ツール５は、透明または半透明の合成樹脂シートから製作される。シート５の厚さに機能上からの制約はないが、強い機械的強度を必要としないことから、通常は１ｍｍ以下の厚さで充分である。シート５の一端には商品である携帯用保温容器１に係止可能な第１係止部６が設けられている。本実施例において第１係止部６は、環状体７から構成されており、中心部に穴８が形成されている。そして、他端には前記商品１の付属部品である蓋４を係止可能な第２係止部９が設けられている。
【００２１】
本実施例においては、第２係止部９も環状体10から構成されている。ただし、第２係止部９の一端11には、シート面に使用方法および／又は宣伝広告が記載または貼付されている。したがって、一見したところでは、第２係止部９は環状体らしくないが、穴12を有しており環状体10を形成している。
【００２２】
また、この店頭販売促進用陳列ツール５の長さは、第２係止部９に付属部品４を係止した際に付属部品４が宙吊り状態になる程度の寸法にされている。さらに、最大幅は商品本体２の幅と略同等または商品本体２の幅より小さい寸法にされている。
【００２３】
図２は、本考案の第２実施例を示す。この店頭販売促進用陳列ツール５が第１実施例と異なる点は、第１係止部６および第２係止部９の形状であり、その他の点では第１実施例と同じである。具体的には、本実施例では各係止部６，９が環状体ではなく、環状の一部に開口部13，14を有する形状をしている。
【００２４】
つぎに、これらの店頭販売促進用陳列ツール５を用いた携帯用保温容器１および付属部品４の陳列方法について説明する。図３は、これらの店頭販売促進用陳列ツール５の使用状態を示す外観図である。第１係止部６は、販売対象であるところの商品、すなわち携帯用保温容器１に係止される。第１係止部６を携帯用保温容器１の本体２と標準品としての蓋３との間に挟みこむことにより、確実に係止することができる。一方、第２係止部９には、付属部品としての蓋４を係止する。付属部品としての蓋４の上部に設けられた飲み口と、その飲み口を覆うキャップ4aとの間に第２係止部９を挟みこむことにより、確実に係止することができる。
【００２５】
本考案による店頭販売促進用陳列ツール５によれば、商品１を店頭で裸陳列する際に、異なる使用方法に用いる付属部品４を商品１に添付した状態で陳列することができる。また、商品１および付属部品４を店頭販売促進用陳列ツール５に係止するだけで添付できるので、添付作業が簡単である等々の利点がある。
【００２６】
以上、本考案を実施例に基づいて説明したが、本考案は上記した実施例に限定されるものではなく、種々の変形実施をすることができる。例えば、上記の実施例では透明または半透明の合成樹脂シートから店頭販売促進用陳列ツール５を製作したが、必要に応じて、ダンボール等の紙類から製作することもできる。また、上記実施例では、付属部品４を１個だけ商品１に添付して陳列する場合について説明したが、付属部品４を複数個添付して陳列することもできることは言うまでもない。
【図面の簡単な説明】
【００２７】
【図１】本考案の第１実施例を示す平面図である。
【図２】本考案の第２実施例を示す平面図である。
【図３】本考案による店頭販売促進用陳列ツールの使用状態を示す外観図である。
【図４】標準品の蓋を用いた保温容器の外観図である。
【図５】付属部品の蓋を用いた保温容器の外観図である。
【符号の説明】
【００２８】
１  商品（携帯用保温容器）
２  商品本体（容器本体、断熱容器）
４  付属部品（蓋）
５  店頭販売促進用陳列ツール（シート）
６  第１係止部
７  環状体
９  第２係止部
10  環状体
【図１】
0003110061.tif 000003
【図２】
0003110061.tif 000004
【図３】
0003110061.tif 000005
【図４】
0003110061.tif 000006
【図５】
0003110061.tif 000007